(57)【要約】【課題】本発明は、高速応答性を有し、ハーフＶ字型スイッチング特性を示す強誘電性液晶に好適な液晶表示装置の駆動方法を提供することを主目的とする。【解決手段】本発明は、単安定性かつハーフＶ字型スイッチング特性を示す強誘電性液晶を用い、複数のソース線に第一の極性の電圧を印加する書き込み期間と、上記書き込み期間後に、光源を点灯させる点灯期間と、上記点灯期間後に、上記複数のソース線に同時に上記第一の極性に対して逆極性の第二の極性の電圧を印加する逆極性電圧リセット期間と、上記逆極性電圧リセット期間後に、上記第二の極性の電圧を保持する逆極性電圧保持期間とを有することを特徴とする液晶表示装置の駆動方法を提供することにより、上記目的を達成する。【選択図】図４
2008145474.tif 000002
【特許請求の範囲】
【請求項１】
単安定性を示し、かつ、ハーフＶ字型スイッチング特性を示す強誘電性液晶を用いた液晶表示装置をフィールドシーケンシャル方式により駆動する液晶表示装置の駆動方法であって、
各サブフレーム中に、複数のゲート線に順に電圧を印加して複数のスイッチング素子を順にオンするとともに、複数のソース線に第一の極性の電圧を印加する書き込み期間と、前記書き込み期間後に、光源を点灯させる点灯期間とを有し、
１フレーム中に、最後のサブフレームの前記点灯期間後に、前記複数のゲート線に同時に電圧を印加して前記複数のスイッチング素子を同時にオンするとともに、前記複数のソース線に同時に前記第一の極性に対して逆極性の第二の極性の電圧を印加する逆極性電圧リセット期間と、前記逆極性電圧リセット期間後に、前記第二の極性の電圧を保持する逆極性電圧保持期間とを有し、
１フレーム中、１度だけ前記逆極性電圧保持期間を設けることを特徴とする液晶表示装置の駆動方法。
【請求項２】
前記逆極性電圧リセット期間にて、前記複数のゲート線に同時に電圧を印加する時間が、前記強誘電性液晶の応答に要する時間より長いことを特徴とする請求項１に記載の液晶表示装置の駆動方法。
【請求項３】
前記最後のサブフレーム以外の他のサブフレーム中に、前記点灯期間後に、前記複数のゲート線に同時に電圧を印加して前記複数のスイッチング素子を同時にオンするとともに、前記複数のソース線に同時に前記第二の極性の電圧を印加するサブフレームリセット期間を有することを特徴とする請求項１または請求項２に記載の液晶表示装置の駆動方法。
【請求項４】
前記サブフレームリセット期間にて、前記複数のゲート線に同時に電圧を印加する時間が、前記強誘電性液晶の応答に要する時間より長いことを特徴とする請求項３に記載の液晶表示装置の駆動方法。
【請求項５】
先のサブフレームの前記書き込み期間での走査順と、次のサブフレームの前記書き込み期間での走査順とが逆であることを特徴とする請求項１から請求項４までのいずれかに記載の液晶表示装置の駆動方法。
【請求項６】
複数のゲート線および複数のソース線と、前記ゲート線およびソース線に接続され、画素毎に配置された複数のスイッチング素子と、前記スイッチング素子に接続され、画素毎に配置された複数の画素電極と、前記画素電極に対向する位置に配置された対向電極と、前記画素電極および対向電極間に配置され、単安定性を示し、かつ、ハーフＶ字型スイッチング特性を示す強誘電性液晶と、前記複数のゲート線に接続され、走査信号を印加するゲートドライバと、前記複数のソース線に接続され、画像信号を印加するソースドライバとを有する液晶パネル、ならびに、前記液晶パネルに対して光を照射する複数色の光源、ならびに、前記ゲートドライバ、ソースドライバおよび光源に接続され、請求項１から請求項５までのいずれかに記載の液晶表示装置の駆動方法によって液晶表示装置を駆動する制御部を有することを特徴とする液晶表示装置。
【発明の詳細な説明】
【技術分野】
【０００１】
本発明は、ハーフＶ字型スイッチング特性を示す単安定型の強誘電性液晶を用いた液晶表示装置の駆動方法に関するものである。
【背景技術】
【０００２】
液晶表示装置は薄型で低消費電力などといった特徴から、大型ディスプレイから携帯情報端末までその用途を広げており、その開発が活発に行われている。これまで液晶表示装置は、ＴＮ方式、ＳＴＮのマルチプレックス駆動、ＴＮに薄層トランジスタ（ＴＦＴ）を用いたアクティブマトリックス駆動等が開発され実用化されているが、これらはネマチック液晶を用いているために、液晶材料の応答速度が数ｍｓ〜数十ｍｓと遅く、動画表示に充分対応しているとはいえない。
【０００３】
強誘電性液晶（ＦＬＣ）は、応答速度がμｓオーダーと極めて短く、高速デバイスに適した液晶である。強誘電性液晶はクラークおよびラガーウォルにより提唱された電圧無印加時に安定状態を二つ有する双安定性のものが広く知られているが（図１１上段）、明、暗の２状態でのスイッチングに限られ、メモリー性を有するものの、階調表示ができないという問題を抱えている。
【０００４】
近年、電圧無印加時の液晶層の状態がひとつの状態で安定化している（以下、これを「単安定」と称する。）強誘電性液晶が、電圧変化により液晶のダイレクタ(分子軸の傾き)を連続的に変化させ透過光度をアナログ変調することで階調表示を可能とするものとして注目されている（非特許文献１参照、図１１下段）。単安定性を示す液晶としては、一般に、降温過程においてコレステリック相（Ｃｈ）−カイラルスメクチックＣ（ＳｍＣ＊）相と相変化し、スメクチックＡ（ＳｍＡ）相を経由しない強誘電性液晶が用いられる（図１２上段）。
【０００５】
一方、強誘電性液晶としては、降温過程においてコレステリック相（Ｃｈ）−スメクチックＡ（ＳｍＡ）相−カイラルスメクチックＣ（ＳｍＣ＊）相と相変化し、ＳｍＡ相を経由してＳｍＣ＊相を示す材料がある（図１２下段）。現在報告されている強誘電性液晶材料の中では、前者のＳｍＡ相を経由しない材料に比べて、後者のＳｍＡ相を経由する相系列を持つものが大半である。後者のＳｍＡ相を経由する相系列を持つ強誘電性液晶は、通常、１層法線に対して二つの安定状態を有し、双安定性を示すことが知られている。
【０００６】
また、近年、カラー液晶表示装置の開発が活発に行われている。カラー表示を実現する方法としては、一般にカラーフィルタ方式とフィールドシーケンシャル方式がある。カラーフィルタ方式は、バックライトとして白色光源を用い、Ｒ・Ｇ・Ｂのマイクロカラーフィルタを各画素に付随させることによりカラー表示を実現させるものである。これに対し、フィールドシーケンシャル方式は、バックライトをＲ・Ｇ・Ｂ・Ｒ・Ｇ・Ｂ…と時間的に切り替え、それに同期させて強誘電性液晶の白黒シャッターを開閉し、網膜の残像効果により色を時間的に混合させ、これによりカラー表示を実現させるものである。このフィールドシーケンシャル方式は、１画素でカラー表示ができ、透過率の低いカラーフィルタを用いなくてすむので、明るく高精細なカラー表示が可能となり、低消費電力および低コストを実現することができる点で有用である。
【０００７】
フィールドシーケンシャル方式は１画素を時間分割するものであるので、良好な動画表示特性を得るためには白黒シャッターとしての液晶が高速応答性を有していることが必要である。強誘電性液晶を用いればこの課題を解決することができる。この際に用いられる強誘電性液晶としては、上述したようにアナログ変調による階調表示を可能とし、高精細なカラー表示を実現するために、単安定性を示すものであることが好ましい。また、単安定性を示す強誘電性液晶には、正負両極性の電圧に応答し、V shaped switching（Ｖ字型スイッチング）特性を示すもの（図１１下段右）と、正負いずれかの極性の電圧のみに応答し、half-V shaped switching（ハーフＶ字型スイッチング）特性を示すもの（図１１下段左）とがある。中でも、薄膜トランジスタ(ＴＦＴ)素子等のスイッチング素子を用いて強誘電性液晶を駆動させる場合には、ハーフＶ字型スイッチング特性を示すものの方が、自発分極による反転電流の影響が少ないため、特に好ましい。
【０００８】
しかしながら、ハーフＶ字型スイッチング特性を示す強誘電性液晶を用いた液晶表示装置では、強誘電性液晶が正負いずれかの極性の電圧のみに応答するため、書き込みのみを行うと、電圧の極性が偏ってしまい、正常に動作しなくなるおそれがある。
【０００９】
従来、フィールドシーケンシャル方式では、複数のゲート線を順に走査し、画素電極に画像データに応じた電圧を印加して書き込みを行った後に、また複数のゲート線を順に走査し、画素電極に逆極性の電圧を印加して消去を行っている。また、画像表示の均一性のため、光源を常時点灯している。強誘電性液晶を駆動する場合には、書き込みおよび消去の際に、それぞれ大きさが等しくて逆極性の電圧を一定期間かつ一定周期で印加することにより、電荷の偏りを抑制して焼き付きを防いでいる。しかしながら、最初に走査したゲート線と最後に走査したゲート線とで輝度にバラツキが生じたり、また液晶が直前のサブフレームでの液晶の駆動状態の影響を受けて、表示すべき色とは異なる色が表示されてしまい、色再現性が低下したりするという問題がある。さらに、消去の際にも光源が点灯していることになり、光源からの光を有効に利用できないという問題もある。
【００１０】
そこで、各画素での輝度のバラツキおよび色再現性の低下を抑えることを目的として、各サブフレームの最後で次のサブフレームの直前にすべての画素にリセット信号を書き込み、１フレーム毎に走査順を逆にする、あるいは、奇数番目のゲート線を走査する方向と偶数番目のゲート線を走査する方向とを逆にする駆動方法が提案されている（例えば特許文献１および特許文献２参照）。これは、各サブフレームでの液晶の動作開始位置が異なると、その後の液晶の動作も異なることになるため、各サブフレームの直前にリセット信号を書き込んでいるのである。しかしながら、１フレーム毎に走査順を逆にすると、連続する２フレームで、明るい期間と暗い期間が交互に現れるため、フリッカが生じるおそれがある。また、奇数ラインの走査順と偶数ラインの走査順とを逆にする駆動方法では、隣接する画素で明るさを平均化することはできるが、明るさが空間的に急激に変化する領域に対応するのが困難であり、解像度が低下するおそれがある。
【００１１】
また、光の利用効率の向上を目的として、最後のゲート線に電圧を印加して書き込みを行った後に光源を点灯して、最初のゲート線に電圧を印加して消去を行った直後に光源を消灯する駆動方法が提案されている（例えば特許文献３参照）。
【００１２】
さらに、光の利用効率を高め、消去に要する時間を削減することを目的として、消去処理時に、複数の画素電極の同時選択による液晶への電圧印加を行い、光源を全ての画素電極へのデータ書き込み走査後にのみ点灯する駆動方法が提案されている（例えば特許文献４参照）。この駆動方法では、書き込み時間と消去時間とは等しくないが、消去処理時に、複数の画素電極の同時選択による液晶への電圧印加を複数回行うことにより、電荷の偏りを相殺することができる。
【００１３】
フィールドシーケンシャル方式では、複数色の光源が順次点灯するため、動きの速い動画を表示した場合に、色が分離して見える現象、いわゆるカラーブレイクが発生し、画像の品質が著しく低下するという問題がある。この問題を解決するためには、上述したように光源を常時点灯する場合には、複数色の光源の各点灯時間を短くすればよいのであるが、上述したように書込みおよび消去を順次行う場合には、点灯時間を短くすることは非常に困難である。また、上述したように全てのゲート線への書き込み後に光源を点灯する場合には、複数色の光源の各点灯期間の間隔を短くすればよいのであるが、上述したように書込みおよび消去を順次行う場合には、この間隔を短くすることは非常に困難である。
【００１４】
特許文献４の駆動方法では、消去に要する時間を削減することができるので、複数色の光源の各点灯期間の間隔を短くすることができるとも考えられる。しかしながら、消去処理時に逆極性の電圧を印加する時間が短すぎると、電荷のバランスが悪くなり、液晶の応答性が次第に低下してしまう。また、消去処理時に逆極性の電圧を印加する時間を長く取ると、複数色の光源の各点灯期間の間隔を短くすることが困難になる。
【００１５】
【特許文献１】特開平５−２６５４０３号公報
【特許文献２】特開２００４−２０６００３号公報
【特許文献３】特開２００１−２３５７６６号公報
【特許文献４】特開２００３−５１５３号公報
【非特許文献１】NONAKA, T., LI, J., OGAWA, A., HORNUNG, B., SCHMIDT, W., WINGEN, R., and DUBAL, H., 1999, Liq. Cryst., 26, 1599.
【発明の開示】
【発明が解決しようとする課題】
【００１６】
本発明は、上記実情に鑑みてなされたものであり、高速応答性を有し、ハーフＶ字型スイッチング特性を示す強誘電性液晶に好適な液晶表示装置の駆動方法を提供することを主目的とする。
【課題を解決するための手段】
【００１７】
上記目的を達成するために、本発明は、単安定性を示し、かつ、ハーフＶ字型スイッチング特性を示す強誘電性液晶を用いた液晶表示装置をフィールドシーケンシャル方式により駆動する液晶表示装置の駆動方法であって、各サブフレーム中に、複数のゲート線に順に電圧を印加して複数のスイッチング素子を順にオンするとともに、複数のソース線に第一の極性の電圧を印加する書き込み期間と、上記書き込み期間後に、光源を点灯させる点灯期間とを有し、１フレーム中に、最後のサブフレームの上記点灯期間後に、上記複数のゲート線に同時に電圧を印加して上記複数のスイッチング素子を同時にオンするとともに、上記複数のソース線に同時に上記第一の極性に対して逆極性の第二の極性の電圧を印加する逆極性電圧リセット期間と、上記逆極性電圧リセット期間後に、上記第二の極性の電圧を保持する逆極性電圧保持期間とを有し、１フレーム中、１度だけ上記逆極性電圧保持期間を設けることを特徴とする液晶表示装置の駆動方法を提供する。
【００１８】
単安定性を示し、かつ、ハーフＶ字型スイッチング特性を示す強誘電性液晶を用いた場合には、白黒シャッターとしての開口時間を十分に長くとることができ、明るいカラー表示の液晶表示装置を実現することができる。本発明によれば、１フレーム中に逆極性電圧リセット期間および逆極性電圧保持期間を有し、各画素における強誘電性液晶の駆動状態が一斉にリセットされた後、第二の極性の電圧を印加したまま保持するので、電荷の偏りを抑え、焼き付きを防ぐことができる。また本発明の液晶表示装置の駆動方法は、１フレーム中、１度だけ逆極性保持期間を有しており、サブフレーム毎に電荷の偏りを抑制するために逆極性の電圧を印加して保持するものではないので、１フレーム中の各点灯期間の間隔を短縮することができ、カラーブレイクを抑制することができる。したがって、上記の強誘電性液晶に適した駆動方法を提供することができる。
【００１９】
上記発明においては、上記逆極性電圧リセット期間にて、上記複数のゲート線に同時に電圧を印加する時間が、上記強誘電性液晶の応答に要する時間より長いことが好ましい。逆極性電圧リセット期間にて、強誘電性液晶の応答時間よりも長く、ゲート線をオンにしておくことにより、各画素の電荷量を均等化することができるからである。これにより、電荷のバランスが悪くなって、強誘電性液晶の応答性が低下するのを防ぐことができる。
【００２０】
また本発明においては、上記最後のサブフレーム以外の他のサブフレーム中に、上記点灯期間後に、上記複数のゲート線に同時に電圧を印加して上記複数のスイッチング素子を同時にオンするとともに、上記複数のソース線に同時に上記第二の極性の電圧を印加するサブフレームリセット期間を有することが好ましい。１フレーム中、最後のサブフレームの点灯期間後に逆極性電圧保持期間が設けられるので、最初のサブフレームの前では逆極性の電圧が印加されて保持された状態となっている。したがって、最後のサブフレーム以外の他のサブフレームの点灯期間後にサブフレームリセット期間を設けることにより、最初のサブフレームと、最初のサブフレーム以外の他のサブフレームとで、直前の電圧印加状態をほぼ揃えることができるからである。
【００２１】
上記の場合、上記サブフレームリセット期間にて、上記複数のゲート線に同時に電圧を印加する時間が、上記強誘電性液晶の応答に要する時間より長いことが好ましい。サブフレームリセット期間にて、強誘電性液晶の応答時間よりも長く、ゲート線をオンにしておくことにより、各画素の電荷量を均等化することができるからである。
【００２２】
さらに本発明においては、先のサブフレームの上記書き込み期間での走査順と、次のサブフレームの上記書き込み期間での走査順とが逆であることが好ましい。これにより、各ゲート線に沿った画素の電極間に電圧が印加される時間を平均化することができるからである。
【００２３】
また本発明は、複数のゲート線および複数のソース線と、上記ゲート線およびソース線に接続され、画素毎に配置された複数のスイッチング素子と、上記スイッチング素子に接続され、画素毎に配置された複数の画素電極と、上記画素電極に対向する位置に配置された対向電極と、上記画素電極および対向電極間に配置され、単安定性を示し、かつ、ハーフＶ字型スイッチング特性を示す強誘電性液晶と、上記複数のゲート線に接続され、走査信号を印加するゲートドライバと、上記複数のソース線に接続され、画像信号を印加するソースドライバとを有する液晶パネル、ならびに、上記液晶パネルに対して光を照射する複数色の光源、ならびに、上記ゲートドライバ、ソースドライバおよび光源に接続され、上述の液晶表示装置の駆動方法によって液晶表示装置を駆動する制御部を有することを特徴とする液晶表示装置を提供する。
【００２４】
本発明の液晶表示装置は、上述の液晶表示装置の駆動方法によって駆動されるので、電荷の偏りを抑え、焼き付きを防ぐことができる。
【発明の効果】
【００２５】
本発明においては、単安定性かつハーフＶ字型スイッチング特性を示し、高速応答性を有する強誘電性液晶を用いた液晶表示装置の駆動方法において、各フレーム中に逆極性電圧リセット期間および逆極性電圧保持期間を有するので、電荷の偏りを抑え、焼き付きを防ぐことができるという効果を奏する。
【発明を実施するための最良の形態】
【００２６】
以下、本発明の液晶表示装置の駆動方法および液晶表示装置について、詳細に説明する。
【００２７】
Ａ．液晶表示装置の駆動方法
本発明の液晶表示装置の駆動方法は、単安定性を示し、かつ、ハーフＶ字型スイッチング特性を示す強誘電性液晶を用いた液晶表示装置をフィールドシーケンシャル方式により駆動する液晶表示装置の駆動方法であって、各サブフレーム中に、複数のゲート線に順に電圧を印加して複数のスイッチング素子を順にオンするとともに、複数のソース線に第一の極性の電圧を印加する書き込み期間と、上記書き込み期間後に、光源を点灯させる点灯期間とを有し、１フレーム中に、最後のサブフレームの上記点灯期間後に、上記複数のゲート線に同時に電圧を印加して上記複数のスイッチング素子を同時にオンするとともに、上記複数のソース線に同時に上記第一の極性に対して逆極性の第二の極性の電圧を印加する逆極性電圧リセット期間と、上記逆極性電圧リセット期間後に、上記第二の極性の電圧を保持する逆極性電圧保持期間とを有し、１フレーム中、１度だけ上記逆極性電圧保持期間を設けることを特徴とするものである。
【００２８】
本発明に用いられる強誘電性液晶は、単安定性を示し、かつ、ハーフＶ字型スイッチング特性を示すものである。
なお、「単安定性を示す」とは、電圧無印加時の強誘電性液晶の状態がひとつの状態で安定化している状態をいう。強誘電性液晶は、図１に例示するように、液晶分子１が層法線ｚから傾いており、層法線ｚに垂直な底面を有する円錐（コーン）の稜線に沿って回転する。このような円錐（コーン）において、液晶分子１の層法線ｚに対する傾き角をチルト角θという。このように、液晶分子１は層法線ｚに対しチルト角±θだけ傾く二つの状態間をコーン上に動作することができる。具体的に説明すると、単安定性を示すとは、電圧無印加時に液晶分子１がコーン上のいずれかひとつの状態で安定化している状態をいう。
【００２９】
また本発明においては、図２に例示するような正負いずれかの電圧を印加したときにのみ液晶分子が動作する、half-V shaped switching（ハーフＶ字型スイッチング）特性を示す強誘電性液晶が用いられる。このようなハーフＶ字型スイッチング特性を示す強誘電性液晶を用いると、白黒シャッターとしての開口時間を十分に長くとることができ、これにより時間的に切り替えられる各色をより明るく表示することができ、明るいカラー表示の液晶表示装置を実現することができる。
なお、「ハーフＶ字型スイッチング特性」とは、印加電圧に対する光透過率が非対称な電気光学特性をいう。
【００３０】
本発明の液晶表示装置の駆動方法について図面を参照しながら説明する。
図３は、液晶表示装置の回路図である。図３に例示する回路は、互いに絶縁された状態でマトリクス状に配置された複数のゲート線Ｇ１，Ｇ２，…Ｇｎおよび複数のソース線Ｓ１，Ｓ２，…Ｓｎと、複数のゲート線Ｇ１，Ｇ２，…Ｇｎに接続されたゲートドライバ２と、複数のソース線Ｓ１，Ｓ２，…Ｓｎに接続されたソースドライバ３とを備えている。また、これらのゲート線Ｇ１，Ｇ２，…Ｇｎおよびソース線Ｓ１，Ｓ２，…Ｓｎの各交点の近傍の各画素には、ゲート線Ｇ１，Ｇ２，…Ｇｎおよびソース線Ｓ１，Ｓ２，…Ｓｎに接続された状態でスイッチング素子４がそれぞれ配置されており、各スイッチング素子４には画素電極５がそれぞれ接続されている。
【００３１】
ゲートドライバ２はゲート線Ｇ１，Ｇ２，…Ｇｎに電圧を印加し（走査信号を供給し）、ソースドライバ３はソース線Ｓ１，Ｓ２，…Ｓｎに正極または負極の電圧を印加する（画像信号を供給する）。このとき、フィールドシーケンシャル方式であれば、ソース線Ｓ１，Ｓ２，…Ｓｎに、任意の色を混色により表示するための複数の単位色のうちの１つの単位色に対応する画像信号を供給する。これにより、ゲートドライバ２によって複数のゲート線Ｇ１，Ｇ２，…Ｇｎに順に電圧を印加して複数のスイッチング素子をゲート線単位で順にオンするとともに、ソースドライバ３によって複数のソース線Ｓ１，Ｓ２，…Ｓｎに正極または負極の電圧を印加して、スイッチング素子４および画素電極５を介して強誘電性液晶に正極または負極の電圧を印加して強誘電性液晶を駆動する。すなわち、各ゲート線に沿った画素の画素電極および対向電極間に画像信号に対応した電圧が印加され、画像データがゲート線に沿った各画素に書き込まれ、これに対する強誘電性液晶の応答の程度により、各画素の光の透過率が制御される。
【００３２】
図４は、図３に示す回路図を用いたフィールドシーケンシャル方式による液晶表示装置の駆動方法の一例を示すタイミングチャートである。なお、強誘電性液晶としては、図２（ｂ）に例示するように正極の電圧を印加したときにのみ液晶分子が動作するものを用いることとする。
【００３３】
図４において、Ｓｃａｎは全てのゲート線Ｇ１，Ｇ２，…Ｇｎを順に走査する様子を模式的に示すものであり、Ｖｇ１，…Ｖｇｎはゲート線Ｇ１，Ｇ２，…Ｇｎにそれぞれ電圧を印加するタイミングを示すものであり、ＶＬＣは強誘電性液晶に印加される電圧の変化を示すものであり、Ｔ１〜Ｔｎは各ゲート線に沿った画素における透過率の変化（すなわち液晶の駆動状態）を示すものであり、ＬＥＤは光源（ＲＧＢ３色の光源）の点灯のタイミングを示すものである。また、１つのフルカラーの静止画像が表示される期間を１フレームＦとし、１つのＲＧＢ各色の静止画像が表示される期間をサブフレームＳＦＲ，ＳＦＧ，ＳＦＢとする。
【００３４】
まず、サブフレームＳＦＲにおいては、ゲートドライバ２によって複数のゲート線Ｇ１，Ｇ２，…Ｇｎに順に電圧を印加して複数のスイッチング素子４をゲート線単位で順にオンするとともに、ソースドライバ３によって複数のソース線Ｓ１，Ｓ２，…Ｓｎに正極（＋）の電圧を印加して、スイッチング素子４および画素電極５を介して強誘電性液晶に正極（＋）の電圧を印加して強誘電性液晶を駆動する。このように、複数のゲート線に順に電圧を印加して複数のスイッチング素子を順にオンするとともに、複数のソース線に第一の極性（図４においては正極）の電圧を印加する期間が書き込み期間Ｔａである。
【００３５】
次いで、ゲートドライバ２によって最後のゲート線Ｇｎに電圧を印加してこのゲート線Ｇｎに沿ったスイッチング素子４をオンするとともに、ソースドライバ３によって複数のソース線Ｓ１，Ｓ２，…Ｓｎに正極（＋）の電圧を印加して、スイッチング素子４および画素電極５を介して強誘電性液晶に正極（＋）の電圧を印加して、強誘電性液晶を駆動させる。この際、強誘電性液晶の応答時間（立ち上がり時間）として液晶応答期間Ｔｂを設ける。
【００３６】
次いで、最後のゲート線Ｇｎに沿った画素における液晶が駆動した後に、赤色の光源から赤色光Ｒを一定時間だけ照射して、赤色画像が認識されるようにする。このように、書き込み期間後に光源を点灯させる期間が点灯期間Ｔｃである。
【００３７】
次に、サブフレームＳＦＧおよびＳＦＢにおいても、上記サブフレームＳＦＲでの走査順に対して逆にゲート線を走査する。そして、上記サブフレームＳＦＲと同様に、点灯およびサブフレームリセットを行う。
【００３８】
次に、最後のサブフレームＳＦＢにおいて、上記サブフレームＳＦＲと同様に、書き込みおよび点灯を行う。
【００３９】
次に、複数のゲート線Ｇ１，Ｇ２，…Ｇｎに同時に電圧を印加して複数のスイッチング素子４を同時にオンするとともに、複数のソース線Ｓ１，Ｓ２，…Ｓｎに同時に負極（−）の電圧を印加して、強誘電性液晶の駆動状態をリセットする。このように、最後のサブフレームの点灯期間後に、複数のゲート線に同時に電圧を印加して複数のスイッチング素子を同時にオンするとともに、複数のソース線に同時に第二の極性（図４においては負極）の電圧を印加する期間が逆極性電圧リセット期間Ｔｄである。
次いで、複数のソース線Ｓ１，Ｓ２，…Ｓｎに負極（−）の電圧を印加したまま保持する。このように、逆極性電圧リセット期間後に、第二の極性（図４においては負極）の電圧を保持する期間が逆極性電圧保持期間Ｔｅである。
【００４０】
このような一連の駆動（書き込み、点灯、書き込み、点灯、書き込み、点灯、逆極性電圧リセット、および逆極性電圧保持）を、光源から照射する光の色ＲＧＢ、および表示する画像を変えながら繰り返して行なうことにより、色の異なる画像を視覚的に混色させてフルカラー画像として認識させることができる。
【００４１】
本発明によれば、１フレーム中、最後のサブフレームの点灯期間後に、１度だけ逆極性電圧保持期間を有し、サブフレーム毎に電荷の偏りを抑制するために逆極性の電圧を印加して保持するものではないので、例えば図４においては、赤色の光源の点灯期間と緑色の光源の点灯期間との間隔、および、緑色の光源の点灯期間と青色の光源の点灯期間との間隔を短縮することができる。これにより、カラーブレイク（色割れ）を抑制することができる。
【００４２】
また本発明によれば、１フレーム中に逆極性電圧リセット期間および逆極性電圧保持期間を有し、各画素における強誘電性液晶の駆動状態が一斉にリセットされた後に、第二の極性の電圧を印加したまま保持するので、電荷の偏りを抑え、焼き付きを防ぐことができる。
【００４３】
図５は、図３に示す回路図を用いたフィールドシーケンシャル方式による液晶表示装置の駆動方法の他の例を示すタイミングチャートである。なお、強誘電性液晶としては、図２（ｂ）に例示するように正極の電圧を印加したときにのみ液晶分子が動作するものを用いることとする。また、図５中の記号は、図４中の記号と同様である。
【００４４】
まず、サブフレームＳＦＲにおいて、複数のゲート線Ｇ１，Ｇ２，…Ｇｎに順に電圧を印加して複数のスイッチング素子４をゲート線単位で順にオンするとともに、複数のソース線Ｓ１，Ｓ２，…Ｓｎに正極（＋）の電圧を印加して、スイッチング素子４および画素電極５を介して強誘電性液晶に正極（＋）の電圧を印加して強誘電性液晶を駆動する（書き込み期間Ｔａ）。次いで、書き込み期間Ｔａ後、強誘電性液晶の応答時間（立ち上がり時間）として液晶応答期間Ｔｂを設ける。次いで、最後のゲート線Ｇｎに沿った画素における液晶が駆動した後に、赤色の光源から赤色光Ｒを一定時間だけ照射して、赤色画像が認識されるようにする（点灯期間Ｔｃ）。次いで、複数のゲート線Ｇ１，Ｇ２，…Ｇｎに同時に電圧を印加して複数のスイッチング素子４を同時にオンするとともに、複数のソース線Ｓ１，Ｓ２，…Ｓｎに同時に負極（−）の電圧を印加して、強誘電性液晶の駆動状態をリセットする（サブフレームリセット期間Ｔｆ）。
【００４５】
次に、サブフレームＳＦＧにおいて、上記サブフレームＳＦＲでの走査順に対して逆にゲート線を走査する。そして、上記サブフレームＳＦＲと同様に、点灯およびサブフレームリセットを行う。次いで、サブフレームＳＦＢにおいて、上記サブフレームＳＦＲと同様に、書き込みおよび点灯を行う。
【００４６】
次に、複数のゲート線Ｇ１，Ｇ２，…Ｇｎに同時に電圧を印加して複数のスイッチング素子４を同時にオンするとともに、複数のソース線Ｓ１，Ｓ２，…Ｓｎに同時に負極（−）の電圧を印加して、強誘電性液晶の駆動状態をリセットする（逆極性電圧リセット期間Ｔｄ）。次いで、複数のソース線Ｓ１，Ｓ２，…Ｓｎに負極（−）の電圧を印加したまま保持する（逆極性電圧保持期間Ｔｅ）。
【００４７】
次に、図示しないが、次のフレームＦでは、サブフレームＳＦＲにおいて、先のフレームＦにおけるサブフレームＳＦＲでの走査順に対して逆にゲート線を走査する。そして、先のフレームＦにおけるサブフレームＳＦＲと同様に、点灯およびサブフレームリセットを行う。
次いで、次のフレームＦのサブフレームＳＦＧにおいて、先のフレームＦにおけるサブフレームＳＦＲと同様に、書き込み、点灯およびサブフレームリセットを行う。
次いで、次のフレームＦのサブフレームＳＦＢにおいて、先のフレームＦにおけるサブフレームＳＦＲでの走査順に対して逆にゲート線を走査する。そして、先のフレームＦにおけるサブフレームＳＦＲと同様に、点灯およびサブフレームリセットを行う。
【００４８】
このような一連の駆動（書き込み、点灯、サブフレームリセット、書き込み、点灯、サブフレームリセット、書き込み、点灯、逆極性電圧リセット、および逆極性電圧保持）を、１サブフレーム毎に書き込み期間での走査順を逆にして、光源から照射する光の色ＲＧＢ、および表示する画像を変えながら繰り返して行なうことにより、色の異なる画像を視覚的に混色させてフルカラー画像として認識させることができる。
【００４９】
本発明においては、最後のサブフレーム以外の他のサブフレーム中に、点灯期間後に、複数のゲート線に同時に電圧を印加して複数のスイッチング素子を同時にオンするとともに、複数のソース線に同時に第二の極性の電圧を印加して、強誘電性液晶の駆動状態をリセットするサブフレームリセット期間を有していてもよい。１フレーム中、最後のサブフレームの点灯期間後に逆極性電圧保持期間が設けられるので、最初のサブフレームの前では逆極性の電圧が印加されて保持された状態となっている。したがって、最後のサブフレーム以外の他のサブフレームの点灯期間後にサブフレームリセット期間を設けることにより、最初のサブフレームと、最初のサブフレーム以外の他のサブフレームとで、直前の電圧印加状態をほぼ揃えることができるからである。また、各画素における強誘電性液晶の駆動状態が一斉にリセットされるため、先のサブフレームでの画像表示による次のサブフレームでの画像表示の変動を完全になくすことができ、再現性の良い階調表示を実現することができるからである。さらに、書き込み期間後に必ず各画素における強誘電性液晶の駆動状態が一斉にリセットされるため、各画素に書き込まれた画像データを消去するのに時間を要しない。
【００５０】
また、サブフレームリセット期間は、液晶の応答時間程度の短い時間で上述の効果が十分に得られる。本発明においては、高速応答性を示す強誘電性液晶を用いるので、サブフレームリセット期間をより短くすることができる。したがって、サブフレームリセット期間を設けた場合であっても、各サブフレームの点灯期間の間隔は比較的短いままであり、カラーブレイクを抑制することが可能である。
【００５１】
一方、本発明においては、最後のサブフレーム以外の他のサブフレーム中に、必ずしもサブフレームリセット期間を有していなくてもよい。例えば、サブフレームリセット期間にて複数のゲート線に同時に電圧を印加する時間が液晶の応答時間よりも長い場合、あるいは、ポリシリコンのようにＴＦＴ素子の能力が高い場合には、書き込み期間前の各画素における強誘電性液晶の駆動状態がどのような状態であっても、各画素の強誘電性液晶に印加される電圧は所望の値に到達するため、各画素における強誘電性液晶の駆動状態を一斉にリセットする必要がない。そのため、先のサブフレームの点灯期間後、次のサブフレーム前に、必ずしも強誘電性液晶の駆動状態をリセットしてなくても、動作開始位置の違いによって各画素で明るさにムラが生じることはないのである。
【００５２】
また本発明においては、先のサブフレームの書き込み期間での走査順と、次のサブフレームの書き込み期間での走査順とが逆であることが好ましい。すなわち、１サブフレーム毎に書き込み期間での走査順が逆になり、奇数フレームと偶数フレームとで各サブフレームの書き込み期間での走査順が逆になる。１サブフレーム毎に書き込み期間での走査順を逆にすることにより、各ゲート線に沿った画素の画素電極および対向電極間に電圧が印加される時間を平均化することができるからである。
【００５３】
図６は、図３に示す回路図を用いたフィールドシーケンシャル方式による液晶表示装置の駆動方法の他の例を示すタイミングチャートである。なお、強誘電性液晶としては、図２（ｂ）に例示するように正極の電圧を印加したときにのみ液晶分子が動作するものを用いることとする。また、図６中の記号は、図４中の記号と同様である。
【００５４】
まず、サブフレームＳＦＲにおいて、複数のゲート線Ｇ１，Ｇ２，…Ｇｎに順に電圧を印加して複数のスイッチング素子４をゲート線単位で順にオンするとともに、複数のソース線Ｓ１，Ｓ２，…Ｓｎに正極（＋）の電圧を印加して、スイッチング素子４および画素電極５を介して強誘電性液晶に正極（＋）の電圧を印加して強誘電性液晶を駆動する（書き込み期間Ｔａ）。次いで、書き込み期間Ｔａ後、強誘電性液晶の応答時間（立ち上がり時間）として液晶応答期間Ｔｂを設ける。次いで、最後のゲート線Ｇｎに沿った画素における液晶が駆動した後に、赤色の光源から赤色光Ｒを一定時間だけ照射して、赤色画像が認識されるようにする（点灯期間Ｔｃ）。
【００５５】
次に、サブフレームＳＦＧにおいて、上記サブフレームＳＦＲでの走査順に対して逆にゲート線を走査する。そして、上記サブフレームＳＦＲと同様に、点灯を行う。
次に、サブフレームＳＦＢにおいて、上記サブフレームＳＦＲと同様に、書き込みおよび点灯を行う。
【００５６】
次いで、複数のゲート線Ｇ１，Ｇ２，…Ｇｎに同時に電圧を印加して複数のスイッチング素子４を同時にオンするとともに、複数のソース線Ｓ１，Ｓ２，…Ｓｎに同時に負極（−）の電圧を印加して、強誘電性液晶の駆動状態をリセットする（逆極性電圧リセット期間Ｔｄ）。次いで、複数のソース線Ｓ１，Ｓ２，…Ｓｎに負極（−）の電圧を印加したまま保持する（逆極性電圧保持期間Ｔｅ）。そして、複数のゲート線Ｇ１，Ｇ２，…Ｇｎに同時に電圧を印加して複数のスイッチング素子４を同時にオンするとともに、複数のソース線Ｓ１，Ｓ２，…Ｓｎに同時にゼロ電圧を印加する（ゼロ電圧リセット期間Ｔｇ）。
【００５７】
このような一連の駆動（書き込み、点灯、書き込み、点灯、書き込み、点灯、逆極性電圧リセット、逆極性電圧保持、およびゼロ電圧リセット）を、１サブフレーム毎に書き込み期間での走査順を逆にして、光源から照射する光の色ＲＧＢ、および表示する画像を変えながら繰り返して行なうことにより、色の異なる画像を視覚的に混色させてフルカラー画像として認識させることができる。
【００５８】
本発明においては、逆極性電圧保持期間後および／またはサブフレームリセット期間後に、複数のゲート線に同時に電圧を印加して複数のスイッチング素子を同時にオンするとともに、複数のソース線に同時にゼロ電圧を印加するゼロ電圧リセット期間を有していてもよい。これにより、書き込み期間にて、ゼロ電圧から正極または負極の電圧を印加することになるので、ゼロ電圧リセット期間後の書き込み期間を短くすることができ、さらには、すべての画素に対して書き込み時間を等しくすることができるからである。
【００５９】
以下、本発明の強誘電性液晶の駆動方法における各期間および本発明に用いられる強誘電性液晶について詳細に説明する。
【００６０】
１．書き込み期間
本発明の液晶表示装置の駆動方法は、各サブフレーム中に、複数のゲート線に順に電圧を印加して複数のスイッチング素子を順にオンするとともに、複数のソース線に第一の極性の電圧を印加する書き込み期間を有する。
【００６１】
ゲート線に１行ずつ電圧を順次印加して（走査信号を順次供給して）、選択状態とする。すなわち、ゲート線Ｇ１，Ｇ２，…Ｇｎは線順次で走査される。また、ソース線には第一の極性（正極または負極）の電圧を印加する（画像信号を供給する）。これにより、ゲート線に沿った各画素の画素電極および対向電極間に画像信号に対応した電圧が印加され、すなわち、強誘電性液晶には画素電極および対向電極の差分に相当する電圧が印加され、画像データがゲート線に沿った各画素に書き込まれる。各画素において、強誘電性液晶は画素電極および対向電極間の電位差に応じた応答となる。この強誘電性液晶の応答の程度により、各画素の光の透過率が制御される。
【００６２】
第一の極性の電圧としては、正極および負極のいずれの電圧であってもよい。
【００６３】
本発明においては、先のサブフレームの書き込み期間での走査順と、次のサブフレームの書き込み期間での走査順とが逆であることが好ましい。図５および図６に示す例においては、まず、先のフレームＦのサブフレームＳＦＲでは、第１行、第２行、第３行、…、第ｎ行の順にゲート線に電圧を印加する。次に、先のフレームＦのサブフレームＳＦＧでは、第ｎ行、第ｎ−１行、第ｎ−２行、…、第１行の順にゲート線に電圧を印加する。続いて、先のフレームＦのサブフレームＳＦＢでは、第１行、第２行、第３行、…、第ｎ行の順にゲート線に電圧を印加する。そして、図示しないが、次のフレームＦのサブフレームＳＦＲでは、第ｎ行、第ｎ−１行、第ｎ−２行、…、第１行の順にゲート線に電圧を印加する。このような駆動方法では、各ゲート線に沿った画素の画素電極および対向電極間に電圧が印加される時間を平均化することができる。
【００６４】
この書き込み期間は、各サブフレーム中に、必ず設けられるものである。
また、書き込み期間としては、強誘電性液晶の種類（強誘電性液晶の応答速度）、ゲート線の本数等に応じて、適宜選択される。例えば、ゲート線１行当たりの書き込み時間は６μｓ〜８μｓで設定することができる。
【００６５】
２．液晶応答期間
本発明の液晶表示装置の駆動方法は、書き込み期間後であって点灯期間前に、最後に走査されたゲート線に沿った画素において強誘電性液晶の応答がほぼ完了する時間として、液晶応答期間を有することが好ましい。
【００６６】
液晶応答期間としては、強誘電性液晶の種類（強誘電性液晶の応答速度）や、先のフレームまたはサブフレーム直後の印加電圧と、書き込み期間での印加電圧との電位差等に応じて、適宜選択される。例えば、液晶応答期間は１００μｓ〜５００μｓで設定することができる。
【００６７】
３．点灯期間
本発明の液晶表示装置の駆動方法は、書き込み期間および液晶応答期間後に、光源を点灯させる点灯期間を有する。
【００６８】
光源としては、例えば３色以上の光を各色ずつ選択的に照射するように構成されているものが用いられる。
【００６９】
この点灯期間は、各サブフレーム中に、必ず設けられるものである。
また、点灯期間としては、書き込み期間、逆極性電圧保持期間等の長さに応じて、適宜選択される。
【００７０】
４．逆極性電圧リセット期間
本発明の液晶表示装置の駆動方法は、最後のサブフレームの点灯期間後に、複数のゲート線に同時に電圧を印加して複数のスイッチング素子を同時にオンするとともに、複数のソース線に同時に第一の極性に対して逆極性の第二の極性を印加する逆極性電圧リセット期間を有する。
【００７１】
ゲート線に一斉に電圧を印加して（走査信号を供給して）、選択状態とする。また、ソース線には第二の極性（正極もしくは負極）を印加する（リセット信号を供給する）。これにより、すべての画素の画素電極および対向電極間にリセット信号に対応した電圧が印加され、リセットデータがすべての画素に書き込まれる。
【００７２】
第二の極性の電圧としては、第一の極性に対して逆極性の電圧であればよく、正極および負極のいずれの電圧であってもよい。
【００７３】
この逆極性電圧リセット期間は、最後のサブフレームの点灯期間後、逆極性電圧保持期間の直前に設けられる。また、逆極性電圧リセット期間は、最後のサブフレーム中に設けてもよく、最後のサブフレーム後に設けてもよい。後述するサブフレームリセット期間を設ける場合には、最後のサブフレーム中に逆極性電圧リセット期間が設けられる。一方、後述するサブフレームリセット期間を設けない場合には、最後のサブフレーム後に逆極性電圧リセット期間が設けられる。
【００７４】
逆極性電圧リセット期間としては、通常、μｓオーダーで設定される。
【００７５】
また、逆極性電圧リセット期間にて、複数のゲート線に同時に電圧を印加する時間は、強誘電性液晶の応答に要する時間より長いことが好ましく、中でも強誘電性液晶の応答に要する時間程度であることが好ましい。
強誘電性液晶は自発分極を有する。書き込み期間にて、電圧を印加して強誘電性液晶が動作すると、自発分極の向きが反転する。各画素では、強誘電性液晶の分極によって電荷が減少する。そして、点灯期間後、逆極性電圧リセット期間にて、逆極性の電圧を印加して強誘電性液晶が動作すると、再度、自発分極の向きが反転する。そうすると、書き込み期間と同様に、各画素では、強誘電性液晶の分極によって電荷が減少する。このように、同じ逆極性の電圧を印加した場合でも、表示が明るかった部分では、電荷が減少してしまい、十分に電圧がかからないために電荷の偏りが発生し、他の部分に比べて強誘電性液晶の応答性が低下してしまうことがある。
これに対し、逆極性電圧リセット期間にて、複数のゲート線に同時に電圧を印加する時間を、強誘電性液晶の応答に要する時間より長くすることにより、強誘電性液晶が動作して自発分極の向きが反転したときにも、強誘電性液晶の分極によって減少した電荷分を補償する電荷が供給されるため、すべての画素で電荷量を均等化することができる。その結果、強誘電性液晶の応答性が低下するのを防ぐことができる。
【００７６】
逆極性電圧リセット期間にて、複数のゲート線に同時に電圧を印加する時間を、強誘電性液晶の応答に要する時間程度とする場合には、複数のゲート線に同時に電圧を印加する時間は、例えば１００μｓ〜５００μｓで設定することができる。
一方、強誘電性液晶の応答時間を考慮しない場合には、複数のゲート線に同時に電圧を印加する時間は、例えば６μｓ〜８μｓで設定することができる。
【００７７】
５．逆極性電圧保持期間
本発明の液晶表示装置の駆動方法は、逆極性電圧リセット期間後に、第二の極性の電圧を保持する逆極性電圧保持期間を有する。逆極性電圧リセット期間にて、ソース線に第二の極性の電圧が印加されるので、逆極性電圧保持期間では、そのまま第二の極性の電圧を保持する。この逆極性電圧保持期間は、１フレーム中、１度だけ設けられる。
【００７８】
また、逆極性電圧保持期間としては、書き込み期間、点灯期間等の長さに応じて、適宜選択される。通常、逆極性電圧保持期間は、ｍｓオーダーで設定され、例えば１ｍｓ〜３ｍｓとすることができる。
【００７９】
６．ゼロ電圧リセット期間
本発明の液晶表示装置の駆動方法は、逆極性電圧保持期間後および／またはサブフレームリセット期間後に、複数のゲート線に同時に電圧を印加して複数のスイッチング素子を同時にオンするとともに、複数のソース線に同時にゼロ電圧を印加するゼロ電圧リセット期間を有していてもよい。先のフレームのゼロ電圧リセット期間後に行われる、次のフレームにおけるサブフレームの書き込み期間にて、強誘電性液晶の応答速度（立ち上がり）を速くすることができ、強誘電性液晶の応答時間（液晶応答期間）を短縮することができるからである。
【００８０】
このゼロ電圧リセット期間は、逆極性電圧保持期間の直後、次のフレームの直前に、および／または、サブフレームリセット期間の直後、次のサブフレームの直前に設けられる。ゼロ電圧リセット期間を、逆極性電圧保持期間後およびサブフレームリセット期間後の両方に設ける場合には、各サブフレームの直前の強誘電性液晶の動作開始位置を揃えることができる。
【００８１】
ゼロ電圧リセット期間としては、通常、μｓまたはｍｓオーダーで設定される。
【００８２】
ゼロ電圧リセット期間を逆極性電圧保持期間後に設ける場合、逆極性電圧保持期間とゼロ電圧リセット期間とは、いずれが長くても短くてもよい。例えば先のサブフレームの書き込み期間での走査順と、次のサブフレームの書き込み期間での走査順とが同じである場合には、逆極性電圧保持期間はゼロ電圧リセット期間よりも長く、かつ、比較的長い方が好ましい。一方、例えば先のサブフレームの書き込み期間での走査順と、次のサブフレームの書き込み期間での走査順とが逆である場合には、逆極性電圧保持期間はゼロ電圧リセット期間より長くても短くてもよい。
【００８３】
また、ゼロ電圧リセット期間を逆極性電圧保持期間後に設けて、サブフレームリセット期間後に設けない場合であって、ゼロ電圧リセット期間が逆極性電圧保持期間よりも長い場合には、次のフレームの直前に、複数のゲート線に同時に電圧を印加して複数のスイッチング素子を同時にオンするとともに、複数のソース線に同時に第二の極性を印加してもよい。これにより、各サブフレームの直前の強誘電性液晶の動作開始位置を揃えることができる。
【００８４】
ゼロ電圧リセット期間をサブフレームリセット期間後に設ける場合、および、ゼロ電圧リセット期間を逆極性電圧保持期間後に設ける場合であって、ゼロ電圧リセット期間が逆極性電圧保持期間よりも短い場合には、ゼロ電圧リセット期間は、例えば６μｓ〜８μｓで設定することができる。
【００８５】
７．サブフレームリセット期間
本発明の液晶表示装置の駆動方法は、最後のサブフレーム以外の他のサブフレーム中、点灯期間後に、複数のゲート線に同時に電圧を印加して複数のスイッチング素子を同時にオンするとともに、複数のソース線に同時に第二の極性を印加するサブフレームリセット期間を有することが好ましい。
【００８６】
第二の極性の電圧としては、第一の極性に対して逆極性の電圧であればよく、正極および負極のいずれの電圧であってもよい。
【００８７】
このサブフレームリセット期間としては、通常、μｓオーダーで設定される。
【００８８】
また、サブフレームリセット期間にて、複数のゲート線に同時に電圧を印加する時間は、強誘電性液晶の応答に要する時間より長いことが好ましく、中でも強誘電性液晶の応答に要する時間程度であることが好ましい。サブフレームリセット期間にて、複数のゲート線に同時に電圧を印加する時間を強誘電性液晶の応答に要する時間より長くすることにより、強誘電性液晶が動作して自発分極の向きが反転したときにも、強誘電性液晶の分極によって減少した電荷分を補償する電荷が供給されるため、すべての画素で電荷量を均等化することができる。その結果、強誘電性液晶の応答性が低下するのを防ぐことができる。
【００８９】
サブフレームリセット期間にて、複数のゲート線に同時に電圧を印加する時間を、強誘電性液晶の応答に要する時間程度とする場合には、複数のゲート線に同時に電圧を印加する時間は、例えば１００μｓ〜２００μｓで設定することができる。
【００９０】
８．強誘電性液晶
本発明に用いられる強誘電性液晶は、単安定性を示し、かつ、ハーフＶ字型スイッチング特性を示すものである。
【００９１】
強誘電性液晶としては、例えば図２に示すような正負いずれかの電圧を印加したときにのみ液晶分子が動作する、half-V shaped switching（ハーフＶ字型スイッチング）特性を示す強誘電性液晶が用いられる。このようなハーフＶ字型スイッチング特性を示す強誘電性液晶を用いると、白黒シャッターとしての開口時間を十分に長くとることができ、これにより時間的に切り替えられる各色をより明るく表示することができ、明るいカラー表示の液晶表示装置を実現することができる。
【００９２】
強誘電性液晶の相系列は、カイラルスメクチックＣ相（ＳｍＣ＊）を発現するものであれば特に限定されるものではない。例えば、相系列が、降温過程において、ネマチック相（Ｎ）−コレステリック相（Ｃｈ）−カイラルスメクチックＣ相（ＳｍＣ＊）と相変化するもの、ネマチック相（Ｎ）−カイラルスメクチックＣ相（ＳｍＣ＊）と相変化するもの、ネマチック相（Ｎ）−スメクチックＡ相（ＳｍＡ）−カイラルスメクチックＣ相（ＳｍＣ＊）と相変化するもの、ネマチック相（Ｎ）−コレステリック相（Ｃｈ）−スメクチックＡ相（ＳｍＡ）−カイラルスメクチックＣ相（ＳｍＣ＊）と相変化するもの、などを挙げることができる。
【００９３】
このような強誘電性液晶としては、一般に知られる液晶材料の中から要求特性に応じて種々選択することができる。
【００９４】
特に、Ｃｈ相からＳｍＡ相を経由しないでＳｍＣ＊相を発現する液晶材料は、ハーフＶ字型スイッチング特性を示すものとして好適である。具体的には、ＡＺエレクトロニックマテリアルズ社製「Ｒ２３０１」が挙げられる。
【００９５】
また、ＳｍＡ相を経由する液晶材料としては、材料選択の幅が広いことから、Ｃｈ相からＳｍＡ相を経由してＳｍＣ＊相を発現するものが好ましい。この場合、ＳｍＣ＊相を示す単一の液晶材料を用いることもできるが、低粘度でＳｍＣ相を示しやすいノンカイラルな液晶（以下、ホスト液晶とする場合がある。）に、それ自身ではＳｍＣ相を示さないが大きな自発分極と適当な螺旋ピッチを誘起する光学活性物質を少量添加することにより、上記のような相系列を示す液晶材料が、低粘度であり、より速い応答性を実現できることから好ましい。
【００９６】
上記ホスト液晶としては、広い温度範囲でＳｍＣ相を示す材料であることが好ましく、一般に強誘電性液晶のホスト液晶として知られているものであれば特に限定されることなく使用することができる。例えば、下記一般式：
Ｒａ−Ｑ１−Ｘ１−（Ｑ２−Ｙ１）ｍ−Ｑ３−Ｒｂ
（式中、ＲａおよびＲｂはそれぞれ、直鎖状もしくは分岐状のアルキル基、アルコキシ基、アルコキシカルボニル基、アルカノイルオキシ基またはアルコキシカルボニルオキシ基であり、Ｑ１、Ｑ２およびＱ３はそれぞれ、１，４−フェニレン基、１，４−シクロヘキシレン基、ピリジン−２，５−ジイル基、ピラジン−２，５−ジイル基、ピリダジン−３，６−ジイル基、１，３−ジオキサン−２，５−ジイル基であり、これらの基はハロゲン原子、水酸基、シアノ基等の置換基を有していてもよく、Ｘ１およびＹ１はそれぞれ、−ＣＯＯ−、−ＯＣＯ−、−ＣＨ２Ｏ−、−ＯＣＨ２−、−ＣＨ２ＣＨ２−、−Ｃ≡Ｃ−または単結合であり、ｍは０または１である。）で表される化合物を使用することができる。ホスト液晶としては、上記化合物を１種単独でも２種以上を組み合わせて用いることもできる。
【００９７】
上記ホスト液晶に添加する光学活性物質としては、自発分極が大きく、適当な螺旋ピッチを誘起する能力を持った材料であれば特に限定されるものではなく、一般にＳｍＣ相を示す液晶組成物に添加する材料として知られるものを使用することができる。特に少量の添加量で大きな自発分極を誘起できる材料であることが好ましい。このような光学活性物質としては、例えば、下記一般式：
Ｒｃ−Ｑ１−Ｚａ−Ｑ２−Ｚｂ−Ｑ３−Ｚｃ−Ｒｄ
（式中、Ｑ１、Ｑ２、Ｑ３は上記一般式と同じ意味を表し、Ｚａ、ＺｂおよびＺｃは−ＣＯＯ−、−ＯＣＯ−、−ＣＨ２Ｏ−、−ＯＣＨ２−、−ＣＨ２ＣＨ２−、−Ｃ≡Ｃ−、−ＣＨ＝Ｎ−、−Ｎ＝Ｎ−、−Ｎ（→Ｏ）＝Ｎ−、−Ｃ（＝Ｏ）Ｓ−または単結合であり、Ｒｃは不斉炭素原子を有していてもよい直鎖状もしくは分岐状のアルキル基、アルコキシ基、アルコキシカルボニル基、アルカノイルオキシ基またはアルコキシカルボニルオキシ基であり、Ｒｄは不斉炭素原子を有する直鎖状もしくは分岐状のアルキル基、アルコキシ基、アルコキシカルボニル基、アルカノイルオキシ基またはアルコキシカルボニルオキシ基であり、ＲｃおよびＲｄはハロゲン原子、シアノ基、水酸基で置換されていてもよい。）で表される化合物を使用することができる。光学活性物質としては、上記化合物を１種単独でも２種以上を組み合わせて用いることもできる。
【００９８】
ＳｍＡ相を経由する強誘電性液晶として、具体的には、ＡＺエレクトロニックマテリアルズ社製「ＦＥＬＩＸＭ４８５１−１００」などが挙げられる。
【００９９】
強誘電性液晶には、液晶表示装置に求められる機能に応じて任意の機能を備える化合物が添加されていてもよい。このような化合物としては、重合性モノマーの重合物を挙げることができる。液晶層中にこのような重合性モノマーの重合物が含有されることにより、上記液晶材料の配列がいわゆる「高分子安定化」され、配向安定性に優れた液晶表示装置を得ることができる。
【０１００】
重合性モノマーの重合物に用いられる重合性モノマーとしては、重合反応により重合物を生じる化合物であれば特に限定されるものではなく、加熱処理により重合反応を生じる熱硬化性樹脂モノマー、および活性放射線の照射により重合反応を生じる活性放射線硬化性樹脂モノマーを挙げることができる。中でも、活性放射線硬化性樹脂モノマーを用いることが好ましい。熱硬化性樹脂モノマーを用いる場合は、重合反応を生じさせるために加温処理をすることが必要であるので、このような加温処理により強誘電性液晶の規則的な配列が損なわれたり、相転移が誘起されてしまったりするおそれがある。一方、活性放射線硬化性樹脂モノマーを用いる場合は、このようなおそれがなく、重合反応が生じることによって強誘電性液晶の配列が害されることが少ないからである。
【０１０１】
活性放射線硬化性樹脂モノマーとしては、電子線の照射により重合反応を生じる電子線硬化性樹脂モノマー、および光照射により重合反応を生じる光硬化性樹脂モノマーを挙げることができる。中でも、光硬化性樹脂モノマーを用いることが好ましい。光硬化性樹脂モノマーを用いることにより、製造工程を簡略化できるからである。
【０１０２】
光硬化性樹脂モノマーとしては、波長が１５０ｎｍ〜５００ｎｍの範囲内の光を照射することにより、重合反応を生じるものであれば特に限定されるものではない。中でも波長が２５０ｎｍ〜４５０ｎｍの範囲内、特に３００ｎｍ〜４００ｎｍの範囲内の光を照射することにより重合反応を生じる紫外線硬化性樹脂モノマーを用いることが好ましい。照射装置の容易性等の面において利点を有するからである。
【０１０３】
紫外線硬化性樹脂モノマーが有する重合性官能基は、上記波長領域の紫外線照射により、重合反応を生じるものであれば特に限定されるものではない。特に、アクリレート基を有する紫外線硬化型樹脂モノマーを用いることが好ましい。
【０１０４】
また、紫外線硬化性樹脂モノマーは、一分子中に一つの重合性官能基を有する単官能性モノマーであってもよく、また、一分子中に二つ以上の重合性官能基を有する多官能性モノマーであってもよい。中でも、多官能性モノマーを用いることが好ましい。多官能性モノマーを用いることにより、より強いポリマーネットワークを形成することができるため、分子間力および配向膜界面におけるポリマーネットワークを強化することができる。これにより、温度変化による強誘電性液晶の配列の乱れを抑制することができる。
【０１０５】
多官能性モノマーの中でも、分子の両末端に重合性官能基を有する２官能性モノマーが好ましく用いられる。分子の両端に重合性官能基を有することにより、ポリマー同士の間隔が広いポリマーネットワークを形成することができ、重合性モノマーの重合物を含むことによる強誘電性液晶の駆動電圧の低下を防止できるからである。
【０１０６】
また、紫外線硬化性樹脂モノマーの中でも、液晶性を発現する紫外線硬化性液晶モノマーを用いることが好ましい。このような紫外線硬化性液晶モノマーが好ましい理由は次の通りである。すなわち、紫外線硬化性液晶モノマーは液晶性を示すことから、配向膜の配向規制力により規則的に配列することができる。このため、紫外線硬化性液晶モノマーを、規則的に配列した後に重合反応を生じさせることにより、規則的な配列状態を維持したまま固定化することができる。このような規則的な配列状態を有する重合物が存在することにより、強誘電性液晶の配向安定性を向上させることができ、優れた耐熱性および耐衝撃性を得ることができる。
【０１０７】
紫外線硬化性液晶モノマーが示す液晶相としては、特に限定されるものではなく、例えば、Ｎ相、ＳｍＡ相、ＳｍＣ相を挙げることができる。
【０１０８】
本発明に用いられる紫外線硬化性液晶モノマーとしては、例えば、下記式(1)〜(3)に示す化合物を挙げることができる。
【０１０９】
【化１】
2008145474.tif 000003
【０１１０】
上記式(1),(2)において、Ａ、Ｂ、Ｄ、ＥおよびＦはベンゼン、シクロヘキサンまたはピリミジンを表し、これらはハロゲン等の置換基を有していてもよい。また、ＡおよびＢ、あるいはＤおよびＥは、アセチレン基、メチレン基、エステル基等の結合基を介して結合していてもよい。Ｍ１およびＭ２は、水素原子、炭素数３〜９のアルキル基、炭素数３〜９のアルコキシカルボニル基、またはシアノ基のいずれであってもよい。さらに、分子鎖末端のアクリロイルオキシ基とＡまたはＤとは、炭素数３〜６のアルキレン基等の結合基を介して結合していてもよい。
【０１１１】
また、上記式(3)おいて、Ｙは、水素、炭素数１〜２０のアルキル、炭素数１〜２０のアルケニル、炭素数１〜２０のアルキルオキシ、炭素数１〜２０のアルキルオキシカルボニル、ホルミル、炭素数１〜２０のアルキルカルボニル、炭素数１〜２０のアルキルカルボニルオキシ、ハロゲン、シアノまたはニトロを表す。
【０１１２】
上記の中でも、好適に用いられるものとして、下記式の化合物を例示することができる。
【０１１３】
【化２】
2008145474.tif 000004
【０１１４】
【化３】
2008145474.tif 000005
【０１１５】
【化４】
2008145474.tif 000006
【０１１６】
また、上記重合性モノマーは、単独で用いてもよく、２種以上を組み合わせて用いてもよい。２種以上の異なる重合性モノマーを用いる場合には、例えば、上記式で示される紫外線硬化性液晶モノマーと他の紫外線硬化性樹脂モノマーとを用いることができる。
【０１１７】
重合性モノマーとして紫外線硬化性液晶モノマーを用いた場合、重合性モノマーの重合物としては、主鎖に液晶性を示す原子団を有することにより主鎖が液晶性を示す主鎖液晶型重合物であってもよく、側鎖に液晶性を示す原子団を有することにより側鎖が液晶性を示す側鎖液晶型重合物であってもよい。中でも、重合性モノマーの重合物が側鎖液晶型重合物であることが好ましい。液晶性を示す原子団が側鎖に存在することにより、この原子団の自由度が高くなるため、液晶性を示す原子団が配向しやすくなるからである。また、その結果として強誘電性液晶の配向安定性を向上させることができるからである。
【０１１８】
液晶層中における重合性モノマーの重合物の存在量は、強誘電性液晶の配列安定性を所望の程度にできる範囲内であれば特に限定されないが、通常、液晶層中に０．５質量％〜３０質量％の範囲内が好ましく、より好ましくは１質量％〜２０質量％、さらに好ましくは１質量％〜１０質量％の範囲内である。上記範囲よりも多いと、駆動電圧の増加や、応答速度の低下を生じる場合があるからである。また、上記範囲よりも少ないと強誘電性液晶の配列安定性が不十分となり、液晶表示装置の耐熱性や耐衝撃性を損なってしまう可能性があるからである。
なお、液晶層中における重合性モノマーの重合物の存在量は、液晶層中の単分子液晶を溶剤で洗い流した後、残存する重合性モノマーの重合物の重量を電子天秤で測量することによって求めた残存量と、上記液晶層の総質量とから算出することができる。
【０１１９】
Ｂ．液晶表示装置
次に、本発明の液晶表示装置について説明する。
本発明の液晶表示装置は、複数のゲート線および複数のソース線と、上記ゲート線およびソース線に接続され、画素毎に配置された複数のスイッチング素子と、上記スイッチング素子に接続され、画素毎に配置された複数の画素電極と、上記画素電極に対向する位置に配置された対向電極と、上記画素電極および対向電極間に配置され、単安定性を示し、かつ、ハーフＶ字型スイッチング特性を示す強誘電性液晶と、上記複数のゲート線に接続され、走査信号を印加するゲートドライバと、上記複数のソース線に接続され、画像信号を印加するソースドライバとを有する液晶パネル、ならびに、上記液晶パネルに対して光を照射する複数色の光源、ならびに、上記ゲートドライバ、ソースドライバおよび光源に接続され、上述の液晶表示装置の駆動方法によって液晶表示装置を駆動する制御部を有することを特徴とするものである。
【０１２０】
図７は本発明の液晶表示装置の一例を示す概略斜視図である。
図７に例示するように、液晶表示装置１０は、液晶パネル１１と、この液晶パネル１１に対向するように配置された光源１２と、液晶パネル１１のゲートドライバ２およびソースドライバ３ならびに光源１２に接続された制御部１３とを有している。液晶パネル１１においては、基材７ａ上に、複数のゲート線Ｇおよび複数のソース線Ｓと、これらのゲート線Ｇおよびソース線Ｓに接続され、画素毎に配置された複数のスイッチング素子４と、このスイッチング素子４に接続され、画素毎に配置された複数の画素電極５とが設けられ、基材７ｂ上に、画素電極５に対向するように対向電極６が設けられている。また、液晶パネル１１では、複数のゲート線Ｇに接続されたゲートドライバ２と、複数のソース線Ｓに接続されたソースドライバ３とが設けられている。なお、図示しないが、画素電極等と対向電極との間には強誘電性液晶が挟持されている。
【０１２１】
ゲート線Ｇおよびソース線Ｓはそれぞれ縦横に配列しており、ゲート線Ｇおよびソース線Ｓに信号を加えることによりスイッチング素子４を作動させ、強誘電性液晶を駆動させることができる。ゲート線Ｇおよびソース線Ｓが交差した部分は、図示しないが絶縁層で絶縁されており、ゲート線Ｇの走査信号とソース線Ｓの画像信号とは独立に動作することができる。ゲート線Ｇおよびソース線Ｓにより囲まれた部分は、液晶表示装置を駆動する最小単位である画素であり、各画素には少なくとも１つ以上のスイッチング素子４および画素電極５が形成されている。そして、ゲート線およびソース線に順次信号電圧を加えることにより、各画素のスイッチング素子を動作させることができる。
【０１２２】
ゲートドライバ２はゲート線Ｇに電圧を印加し（走査信号を印加し）、ソースドライバ３はソース線Ｓに正極または負極の電圧を印加する（画像信号を印加する）。このとき、フィールドシーケンシャル方式であれば、ソース線Ｓに、任意の色を混色により表示するための複数の単位色のうちの１つの単位色に対応する画像信号を供給する。これにより、ゲートドライバ２によって複数のゲート線Ｇに順に電圧を印加して複数のスイッチング素子４をゲート線単位で順にオンするとともに、ソースドライバ３によって複数のソース線Ｓに正極または負極の電圧を印加して、スイッチング素子４および画素電極５を介して強誘電性液晶に正極または負極の電圧を印加して強誘電性液晶を駆動する。すなわち、各ゲート線に沿った画素の画素電極および対向電極間に画像信号に対応した電圧が印加され、画像データがゲート線に沿った各画素に書き込まれ、これに対する強誘電性液晶の応答の程度により、各画素の光の透過率が制御される。
【０１２３】
本発明の液晶表示装置は、上述の液晶表示装置の駆動方法によって駆動されるので、単安定性を示し、かつ、ハーフＶ字型スイッチング特性を示す強誘電性液晶の利点を活かして高精細で高品位の表示を実現することができる。
【０１２４】
液晶表示装置の各構成部材には、一般的なものを用いることができる。なお、強誘電性液晶および光源については、上記「Ａ．液晶表示装置の駆動方法」に詳しく記載したので、ここでの説明は省略する。
【０１２５】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【０１２６】
以下に実施例を示し、本発明をさらに詳細に説明する。
【０１２７】
［実施例１］
図８に、ＱＶＧＡ(240×320)の液晶表示装置を駆動させるタイミングチャートを示す。なお、強誘電性液晶としては、図２（ｂ）に例示するように正極の電圧を印加したときにのみ液晶分子が動作するものを用いた。図８において、１つのフルカラーの静止画像が表示される期間を１フレームＦとし、１つのＲＧＢ各色の静止画像が表示される期間をサブフレームＳＦＲ，ＳＦＧ，ＳＦＢとする。また、図８中の他の記号は図４中の記号と同様である。
【０１２８】
まず、第１行から第２４０行までのゲート線に順にオン電圧を印加し、ＴＦＴ素子を順にオンとし、３２０列のソース線に画像データに応じた正極（＋）の電圧を印加して、各画素に赤色画像データを書き込んだ。書き込みにはゲート線１行当たり6.0μｓかかるため、書き込み期間には約1.4ｍｓ要した。次いで、第２４０行のゲート線にオン電圧を印加し、ＴＦＴ素子をオンとし、ソース線に画像データに応じた正極（＋）の電圧を印加して、画素に赤色画像データを書き込んだ後に、液晶が十分応答する時間（0.5ｍｓ）が経過した後、約0.8ｍｓ間、赤色のLEDを点灯した。続いて、赤色のLEDの消灯と同時に、２４０行すべてのゲート線にオン電圧を印加し、ＴＦＴ素子をオンとし、３２０列すべてのソース線に負極（−）の電圧を印加して、すべての画素に一括してリセットデータを書き込んだ。このとき、液晶が十分応答する時間（約0.2ｍｓ）、ゲート線をオンにした。
【０１２９】
次に、ゲート線を第２４０行から第１行まで順に走査して各画素に緑色画像データを書き込み、緑色のLEDを点灯し、ソース線に負極（−）の電圧を印加してすべての画素に一括してリセットデータを書き込んだ。リセットデータの書き込み時には、液晶が十分応答する時間（約0.2ｍｓ）、ゲート線をオンにした。
次に、ゲート線を第１行から第２４０行まで順に走査して各画素に青色画像データを書き込み、青色のLEDを点灯し、ソース線に負極（−）の電圧を印加してすべての画素に一括してリセットデータを書き込んだ。リセットデータの書き込み時には、液晶が十分応答する時間（約0.2ｍｓ）、ゲート線をオンにした。
【０１３０】
次に、２４０行すべてのゲート線にオン電圧を印加し、ソース線に負極（−）の電圧を印加してすべての画素に一括してリセットデータを書き込んだ後であってサブフレームＳＦＢ後に、8.0ｍｓ間、負極（−）の電圧を印加したまま保持した。次いで、２４０行のすべてのゲート線にオン電圧を印加し、ＴＦＴ素子をオンとし、３２０列すべてのソース線にゼロ電圧を印加して、すべての画素にゼロデータを書き込んだ。
【０１３１】
続いて、１サブフレーム毎に走査順を逆方向とし、奇数フレームと偶数フレームでは、各サブフレームでの走査順が逆になるように駆動した。上記の一連の駆動を繰り返し行うことで、全体にムラのない動画表示を行うことができることを確認した。
【０１３２】
［実施例２］
図９に、ＱＶＧＡ(240×320)の液晶表示装置を駆動させるタイミングチャートを示す。なお、強誘電性液晶としては、図２（ｂ）に例示するように正極の電圧を印加したときにのみ液晶分子が動作するものを用いた。図９において、１つのフルカラーの静止画像が表示される期間を１フレームＦとし、１つのＲＧＢ各色の静止画像が表示される期間をサブフレームＳＦＲ，ＳＦＧ，ＳＦＢとする。また、図９中の他の記号は図４中の記号と同様である。
【０１３３】
まず、第１行から第２４０行までのゲート線に順にオン電圧を印加し、ＴＦＴ素子を順にオンとし、３２０列のソース線に画像データに応じた正極（＋）の電圧を印加して、各画素に赤色画像データを書き込んだ。書き込みにはゲート線１行当たり6.0μｓかかるため、書き込み期間には約1.4ｍｓ要した。次いで、第２４０行のゲート線にオン電圧を印加し、ＴＦＴ素子をオンとし、ソース線に画像データに応じた正極（＋）の電圧を印加して、画素に赤色画像データを書き込んだ後に、液晶が十分応答する時間（0.5ｍｓ）が経過した後、約0.8ｍｓ間、赤色のLEDを点灯した。
【０１３４】
次に、赤色のLEDの消灯と同時に、ゲート線を第２４０行から第１行まで順に走査して各画素に緑色画像データを書き込み、緑色のLEDを点灯した。
次に、ゲート線を第１行から第２４０行まで順に走査して各画素に青色画像データを書き込み、青色のLEDを点灯した。
【０１３５】
次に、２４０行すべてのゲート線にオン電圧を印加し、ＴＦＴ素子をオンとし、３２０列すべてのソース線に負極（−）の電圧を印加して、すべての画素に一括してリセットデータを書き込んだ。このとき、液晶が十分応答する時間（約0.2ｍｓ）、ゲート線をオンにした。続いて、すべての画素に一括してリセットデータを書き込んだ後、8.4ｍｓ間、負極（−）の電圧を印加したまま保持した。次いで、２４０行のすべてのゲート線にオン電圧を印加し、ＴＦＴ素子をオンとし、３２０列すべてのソース線にゼロ電圧を印加して、すべての画素にゼロデータを書き込んだ。
【０１３６】
続いて、１サブフレーム毎に走査順を逆方向とし、奇数フレームと偶数フレームでは、各サブフレームでの走査順が逆になるように駆動した。上記の一連の駆動を繰り返し行うことで、全体にムラのない動画表示を行うことができることを確認した。
【０１３７】
［実施例３］
図１０に、ＱＶＧＡ(240×320)の液晶表示装置を駆動させるタイミングチャートを示す。なお、強誘電性液晶としては、図２（ｂ）に例示するように正極の電圧を印加したときにのみ液晶分子が動作するものを用いた。図１０において、１つのフルカラーの静止画像が表示される期間を１フレームＦとし、１つのＲＧＢ各色の静止画像が表示される期間をサブフレームＳＦＲ，ＳＦＧ，ＳＦＢとする。また、図１０中の他の記号は図４中の記号と同様である。
【０１３８】
まず、第１行から第２４０行までのゲート線に順にオン電圧を印加し、ＴＦＴ素子を順にオンとし、３２０列のソース線に画像データに応じた正極（＋）の電圧を印加して、各画素に赤色画像データを書き込んだ。書き込みにはゲート線１行当たり6.0μｓかかるため、書き込み期間には約1.4ｍｓ要した。次いで、第２４０行のゲート線にオン電圧を印加し、ＴＦＴ素子をオンとし、ソース線に画像データに応じた正極（＋）の電圧を印加して、画素に赤色画像データを書き込んだ後に、液晶が十分応答する時間（0.5ｍｓ）が経過した後、約0.8ｍｓ間、赤色のLEDを点灯した。続いて、赤色のLEDの消灯と同時に、２４０行すべてのゲート線にオン電圧を印加し、ＴＦＴ素子をオンとし、３２０列すべてのソース線に負極（−）の電圧を印加して、すべての画素に一括してリセットデータを書き込んだ。このとき、液晶が十分応答する時間（約0.2ｍｓ）、ゲート線をオンにした。ここまでに約2.9ｍｓを要した。
【０１３９】
次に、ゲート線を第２４０行から第１行まで順に走査して各画素に緑色画像データを書き込み、緑色のLEDを点灯し、ソース線に負極（−）の電圧を印加してすべての画素に一括してリセットデータを書き込んだ。リセットデータの書き込み時には、液晶が十分応答する時間（約0.2ｍｓ）、ゲート線をオンにした。
次に、ゲート線を第１行から第２４０行まで順に走査して各画素に青色画像データを書き込み、青色のLEDを点灯した。ソース線に負極（−）の電圧を印加してすべての画素に一括してリセットデータを書き込んだ。リセットデータの書き込み時には、液晶が十分応答する時間（約0.2ｍｓ）、ゲート線をオンにした。
【０１４０】
次に、２４０行すべてのゲート線にオン電圧を印加し、ソース線に負極（−）の電圧を印加してすべての画素に一括してリセットデータを書き込んだ後であってサブフレームＳＦＢ後に、8.0ｍｓ間、負極（−）の電圧を印加したまま保持した。
【０１４１】
続いて、１サブフレーム毎に走査順を逆方向とし、奇数フレームと偶数フレームでは、各サブフレームでの走査順が逆になるように駆動した。上記の一連の駆動を繰り返し行うことで、全体にムラのない動画表示を行うことができることを確認した。
【図面の簡単な説明】
【０１４２】
【図１】液晶分子の挙動を示す模式図である。
【図２】強誘電性液晶の印加電圧に対する透過率の変化を示したグラフである。
【図３】本発明の液晶表示装置の回路図の一例を示す模式図である。
【図４】本発明の液晶表示装置の駆動方法の一例を示すタイミングチャートである。
【図５】本発明の液晶表示装置の駆動方法の他の例を示すタイミングチャートである。
【図６】本発明の液晶表示装置の駆動方法の他の例を示すタイミングチャートである。
【図７】本発明の液晶表示装置の一例を示す概略斜視図である。
【図８】実施例１の液晶表示装置の駆動方法を示すタイミングチャートである。
【図９】実施例２の液晶表示装置の駆動方法を示すタイミングチャートである。
【図１０】実施例３の液晶表示装置の駆動方法を示すタイミングチャートである。
【図１１】強誘電性液晶の印加電圧に対する透過率の変化を示したグラフである。
【図１２】強誘電性液晶の有する相系列の相違による配向の違いを示した図である。
【符号の説明】
【０１４３】
Ｔａ  …  書き込み期間
Ｔｂ  …  液晶応答期間
Ｔｃ  …  点灯期間
Ｔｄ  …  逆極性電圧リセット期間
Ｔｅ  …  逆極性電圧保持期間
Ｔｆ  …  サブフレームリセット期間
Ｔｇ  …  ゼロ電圧リセット期間
【図１】
2008145474.tif 000007
【図２】
2008145474.tif 000008
【図３】
2008145474.tif 000009
【図４】
2008145474.tif 000010
【図５】
2008145474.tif 000011
【図６】
2008145474.tif 000012
【図７】
2008145474.tif 000013
【図８】
2008145474.tif 000014
【図９】
2008145474.tif 000015
【図１０】
2008145474.tif 000016
【図１１】
2008145474.tif 000017
【図１２】
2008145474.tif 000018